(57)【要約】  無線通信システムは、端末から無線信号を受信するＲＦ受信部と、ＲＦ受信部により受信された無線信号に基づいて端末と無線装置との間における無線伝送路のチャネル情報を推定するチャネル推定部と、チャネル推定部により推定されたチャネル情報に基づいて、無線信号に対して軟判定復調を行う復調部と、復調部による軟判定復調により得られた対数尤度比を、端末との無線通信において用いられる変調方式に応じて定まる対数尤度比の平均値とチャネル情報に基づいて得られる対数尤度比の分散値とで定まる統計分布に基づいて量子化する量子化部と、量子化部により量子化された対数尤度比に対して復号処理を行う復号部と、を備える。
2017175754.tif 000002
【特許請求の範囲】
【請求項１】
端末から無線信号を受信するＲＦ受信部と、
前記ＲＦ受信部により受信された前記無線信号に基づいて前記端末との間における無線伝送路のチャネル情報を推定するチャネル推定部と、
前記チャネル推定部により推定された前記チャネル情報に基づいて、前記無線信号に対して軟判定復調を行う復調部と、
前記復調部による軟判定復調により得られた対数尤度比を、前記端末との無線通信において用いられる変調方式に応じて定まる対数尤度比の平均値と前記チャネル情報に基づいて得られる対数尤度比の分散値とで定まる統計分布に基づいて量子化する量子化部と、
前記量子化部により量子化された対数尤度比に対して復号処理を行う復号部と、
を備える、無線通信システム。
【請求項２】
前記チャネル推定部は、
前記チャネル情報に基づいて、対数尤度比の分散値を算出し、算出した分散値を前記量子化部へ出力する、
請求項１に記載の無線通信システム。
【請求項３】
前記チャネル推定部により推定された前記チャネル情報に基づいて、対数尤度比の分散値を算出し、前記量子化部へ送信する上位機能部、を備える、
請求項１に記載の無線通信システム。
【請求項４】
前記量子化部は、
前記端末との無線通信において用いられる変調方式に応じて定まる対数尤度比の平均値及び分散値を有するガウス分布に基づいて、量子化閾値と量子化レベルとを決定する、
請求項１から請求項３のいずれか一項に記載の無線通信システム。
【請求項５】
端末から無線信号を受信するＲＦ受信ステップと、
前記ＲＦ受信ステップにより受信された前記無線信号に基づいて前記端末との間における無線伝送路のチャネル情報を推定するチャネル推定ステップと、
前記チャネル推定ステップにより推定された前記チャネル情報に基づいて、前記無線信号に対して軟判定復調を行う復調ステップと、
前記復調ステップにより得られた対数尤度比を、前記端末との無線通信において用いられる変調方式に応じて定まる対数尤度比の平均値と前記チャネル情報に基づいて得られる対数尤度比の分散値とで定まる統計分布に基づいて量子化する量子化ステップと、
前記量子化ステップにより量子化された対数尤度比に対して復号処理を行う復号ステップと、
を有する、通信方法。
【発明の詳細な説明】
【技術分野】
【０００１】
本発明は、無線通信システム及び通信方法に関する。
【背景技術】
【０００２】
無線通信システム、特に移動体通信システムにおいて、基地局設置の柔軟性を高めるため、基地局が有する機能をＢＢＵ（Base Band Unit）とＲＲＨ（Remote Radio Head）との２つの装置に分担させ、ＢＢＵとＲＲＨとを物理的に離れた構成とすることが検討されている。ＢＢＵとＲＲＨとにおける機能分割方式の一形態として、図５に示すように、ＭＡＣ（Media Access Control）層以上の機能と物理層の機能の一部である符号化の機能とをＢＢＵが行い、符号化機能以外の物理層の機能をＲＲＨが行う機能分割方式が検討されている（非特許文献１）。この機能分割方式は、ＳＰＰ（Split-PHY Processing）方式と呼ばれる。【０００３】
基地局や端末において受信した無線信号を復調する方式には、復調して得られた信号ビットを０又は１のビット値として出力するのではなく、信号ビットが０又は１である確からしさを示す尤度（Likelihood）と呼ばれる実数値の比として出力する軟判定復調方式がある（非特許文献２）。軟判定復調方式では、出力は対数尤度比あるいはＬＬＲ（Log Likelihood Ratio）と呼ばれる。ＬＬＲの値は、一般に、正の大きい値であるほど信号ビットが１である可能性が高いことを示し、負の小さい値（絶対値が大きい値）であるほど信号ビットが０である可能性が高いことを示す。【０００４】
図６は、ＳＰＰ方式が適用された無線通信システムの構成例を示す図である。無線通信システムは、端末９１とＲＲＨ９２とＢＢＵ９３とを備える。ＲＲＨ９２は、ＲＦ受信部９２１とチャネル推定部９２２と復調部９２３とＬＬＲ量子化部９２４とを備える。ＢＢＵ９３は、復号部９３１と上位機能部９３２とを備える。【０００５】
ＲＲＨ９２及びＢＢＵ９３は、端末９１から送信される無線信号の受信処理を開始する前に所定の設定を行う。具体的には、上位機能部９３２は制御信号を復調部９２３へ送信する。復調部９２３は、制御信号に基づいて、無線伝送路の状態に応じた復調を行うための復調パラメータを設定する。復調パラメータには、例えばＱＰＳＫ（Quadrature Phase Shift Keying）や１６ＱＡＭ（Quadrature Amplitude Modulation）などの復調に使用する変調方式を示すパラメータ、１／３や３／４などの復調に使用する符号化率を示すパラメータなどが含まれる。【０００６】
端末９１から送信された無線信号は、無線伝送路を経て、ＲＦ受信部９２１で受信される。ＲＦ受信部９２１は、受信した無線信号に含まれる参照信号をチャネル推定部９２２へ出力し、受信した無線信号に含まれるデータ信号を復調部９２３へ出力する。参照信号は、無線伝送路のチャネル情報を抽出するための信号であり、端末１０とＲＲＨ２０との間において既知の信号を含む信号である。データ信号は、ＢＢＵ９３へ送るべき信号であって信号ビットの系列を含む信号である。チャネル推定部９２２は、参照信号に基づいて無線伝送路のチャネル情報を推定し、チャネル情報を復調部９２３へ出力するとともにＢＢＵ９３へフィードバックする。【０００７】
復調部９２３は、制御信号により指示された復調パラメータと、チャネル推定部９２２から出力されたチャネル情報とを用いて、データ信号に対する軟判定復調を行う。復調部９２３は、軟判定復調により得られたＬＬＲ値をＬＬＲ量子化部９２４へ出力する。復調部９２３からＬＬＲ量子化部９２４へ出力されるＬＬＲ値は実数値であるため、ＬＬＲ量子化部９２４は、ＬＬＲ値に対する量子化により得られた値をＢＢＵ９３へ送信する。【０００８】
復号部９３１は、量子化されたＬＬＲ値をＲＲＨ９２から受信し、受信したＬＬＲ値に対して復号処理を行うことで信号ビットを得る。復号部９３１は、得られた信号ビットを端末９１から送信された情報として上位機能部９３２へ出力する。【０００９】
ＲＲＨ９２において得られるＬＬＲ値に対する量子化ビット数を少なくするほど、ＲＲＨ９２とＢＢＵ９３との間における伝送量を少なくできる。単に量子化ビット数を少なくすると、ＬＬＲ値の量子化誤差が大きくなってしまう。そこで、ＬＬＲ量子化の手法として、ＬＬＲ値のサンプルを集めてＬＬＲ値の統計分布を求め、その統計分布に対して所定の量子化ビット数における最適な量子化閾値と量子化レベルとを決定する手法がある（非特許文献３）。
【先行技術文献】
【非特許文献】
【００１０】
【非特許文献１】宮本健司、外３名、「将来無線アクセスに向けた基地局機能分割方式の提案」、信学技報、vol.115、no.123、CS2015-15、pp.33-38、２０１５年７月
【非特許文献２】大槻知明、「情報通信の基礎と動向［III］  −誤り訂正符号−」、電子情報通信学会誌、Vol.90、No.7、pp.549-555、２００７年７月
【非特許文献３】C. Novak, et al., "Quantization for soft-output demodulators in bit-interleaved coded modulation systems," ISIT 2009, pp.1070-1074, 2009
【発明の概要】
【発明が解決しようとする課題】
【００１１】
しかし、前述の手法では、ＬＬＲ値の統計分布を定めるために充分なＬＬＲ値のサンプルが集まるまで量子化の開始を待つ必要があり、無線通信システムにおける処理遅延が増加する問題がある。【００１２】
前述の事情に鑑み、本発明は、ＬＬＲ量子化における処理遅延を削減できる無線通信システム及び通信方法を提供することを目的としている。
【課題を解決するための手段】
【００１３】
本発明の第１の実施態様における無線通信システムは、端末から無線信号を受信するＲＦ受信部と、前記ＲＦ受信部により受信された前記無線信号に基づいて前記端末との間における無線伝送路のチャネル情報を推定するチャネル推定部と、前記チャネル推定部により推定された前記チャネル情報に基づいて、前記無線信号に対して軟判定復調を行う復調部と、前記復調部による軟判定復調により得られた対数尤度比を、前記端末との無線通信において用いられる変調方式に応じて定まる対数尤度比の平均値と前記チャネル情報に基づいて得られる対数尤度比の分散値とで定まる統計分布に基づいて量子化する量子化部と、前記量子化部により量子化された対数尤度比に対して復号処理を行う復号部と、を備える。【００１４】
また、本発明の第２の実施態様によれば、上記の第１の実施態様の無線通信システムにおいて、前記チャネル推定部は、前記チャネル情報に基づいて、対数尤度比の分散値を算出し、算出した分散値を前記量子化部へ出力する。【００１５】
また、本発明の第３の実施態様によれば、上記の第１の実施態様の無線通信システムにおいて、前記チャネル推定部により推定された前記チャネル情報に基づいて、対数尤度比の分散値を算出し、前記量子化部へ送信する上位機能部、を備える。【００１６】
また、本発明の第４の実施態様によれば、上記の第１、第２及び第３の実施態様のいずれかの無線通信システムにおいて、前記量子化部は、前記端末との無線通信において用いられる変調方式に応じて定まる対数尤度比の平均値及び分散値を有するガウス分布に基づいて、量子化閾値と量子化レベルとを決定する。【００１７】
また、本発明の第５の実施態様における通信方法は、端末から無線信号を受信するＲＦ受信ステップと、前記ＲＦ受信ステップにより受信された前記無線信号に基づいて前記端末との間における無線伝送路のチャネル情報を推定するチャネル推定ステップと、前記チャネル推定ステップにより推定された前記チャネル情報に基づいて、前記無線信号に対して軟判定復調を行う復調ステップと、前記復調ステップにより得られた対数尤度比を、前記端末との無線通信において用いられる変調方式に応じて定まる対数尤度比の平均値と前記チャネル情報に基づいて得られる対数尤度比の分散値とで定まる統計分布に基づいて量子化する量子化ステップと、前記量子化ステップにより量子化された対数尤度比に対して復号処理を行う復号ステップと、を有する。
【発明の効果】
【００１８】
本発明によれば、ＬＬＲ量子化により生じる処理遅延を削減することが可能となる。
【図面の簡単な説明】
【００１９】
【図１】２値の変調方式であるＢＰＳＫで変調された信号から得られるＬＬＲ値の統計分布の一例を示す図。
【図２】第１の実施形態における無線通信システムの構成例を示すブロック図。
【図３】第２の実施形態における無線通信システムの構成例を示すブロック図。
【図４】多値の変調方式である１６ＱＡＭで変調された信号から得られるＬＬＲ値の統計分布の一例を示す図。
【図５】従来のＳＰＰの機能分割方式の一例を示す図。
【図６】従来のＳＰＰ方式が適用された無線通信システムの構成例を示す図。
【発明を実施するための形態】
【００２０】
以下、図面を参照して、本発明の実施形態における無線通信システム及び通信方法を説明する。なお、以下の実施形態では、同一の符号を付した構成要素は同様の動作を行うものとして、重複する説明を適宜省略する。
【００２１】
以下に説明する各実施形態では、ＬＬＲ（対数尤度比）の値の統計分布を定めるために充分なＬＬＲ値のサンプルを集めることに代えて、変調方式に応じて定まるＬＬＲ値の平均値と、受信信号に含まれる雑音信号の電力から算出できる分散値とから統計分布を定める。ＬＬＲ値の統計分布は、分散値及び平均値で定まる対称なガウス分布（正規分布）の形をとる。
【００２２】
図１は、２値の変調方式であるＢＰＳＫ（Binary Phase Shift Keying）で変調された信号から得られるＬＬＲ値の統計分布の一例を示す図である。図１において、横軸はＬＬＲ値を示し、縦軸はＬＬＲ値の出現頻度を示す。ＢＰＳＫにおいては、図１に示すように、変調された１ビットの信号ビットが１である可能性を示すガウス分布と、信号ビットが０である可能性を示すガウス分布との２つ分布が得られる。各実施形態の無線通信システム及び通信方法は、図１に示すようにＬＬＲ値の統計分布がＬＬＲ値＝０の直線に対して対称なガウス分布の形をとる特性を利用する。無線通信システム及び通信方法は、ＬＬＲ値の分散値及び特性に基づいてＬＬＲ値の統計分布を取得することによりＬＬＲ量子化により生じる処理遅延を削減する。
【００２３】
［第１の実施形態］
図２は、第１の実施形態における無線通信システム１の構成例を示すブロック図である。無線通信システム１は、端末１０と、基地局として機能するＲＲＨ２０及びＢＢＵ３０とを備える。ＲＲＨ２０とＢＢＵ３０とは、有線（例えば光ファイバ又は同軸線）にて通信可能に接続されている。無線装置としてのＲＲＨ２０は、ＲＦ受信部２１とチャネル推定部２２と復調部２３とＬＬＲ量子化部２４とを備える。信号処理装置としてのＢＢＵ３０は、復号部３１と上位機能部３２とを備える。
【００２４】
ＲＲＨ２０及びＢＢＵ３０は、端末１０から送信される無線信号の受信処理を開始する前に所定の設定を行う。この設定は、図６において示したＲＲＨ９２及びＢＢＵ９３が行う設定と同じ設定である。
【００２５】
ＲＦ受信部２１は、端末１０から送信される無線信号をアンテナで受信する。ＲＦ受信部２１は、受信した無線信号に含まれる参照信号をチャネル推定部２２へ出力し、受信した無線信号に含まれるデータ信号を復調部２３へ出力する。参照信号は、端末１０とＲＲＨ２０との間の無線伝送路のチャネル情報を抽出するための信号である。データ信号は、ＢＢＵ３０へ送る信号ビット列の系列を含む信号である。
【００２６】
チャネル推定部２２は、端末１０とＲＲＨ２０との間において既知の信号と、ＲＦ受信部２１から出力される参照信号とを比較し、無線伝送路において無線信号が受ける位相回転量と減衰量とを示すチャネル情報を推定する。チャネル推定部２２は、チャネル情報を復調部２３へ出力するとともに、チャネル情報をＢＢＵ３０へ送信する。また、チャネル推定部２２は、既知の信号とチャネル情報とに基づいて、参照信号に含まれる雑音信号を抽出する。チャネル推定部２２は、データ信号に対して軟判定復調を行う場合におけるＬＬＲ値の分散値を、抽出した雑音信号の電力（雑音電力）から算出する。チャネル推定部２２は、算出した分散値をＬＬＲ量子化部２４へ出力する。
【００２７】
雑音電力からＬＬＲ値の分散値を算出する手法としては、雑音電力値をそのまま分散値として用いる手法、基準値に対する雑音電力値の差分を分散値として用いる手法、又は、雑音電力値を正規化して得られる値を分散値として用いる手法などがある。また、他の手法として、例えば無線伝送特性に明確な差が現れる雑音電力値ごとの分散値を事前に測定し、測定結果に基づいて作成した雑音電力値から分散値を得られるテーブルを用いたり、測定結果に基づいて定めた雑音電力値から分散値を得られる近似関数を用いたりする。テーブルを用いる場合、チャネル推定部２２にはテーブルが予め備えられ、関数を用いる場合、チャネル推定部２２には近似関数が予め記憶される。無線伝送特性において差が現れているか否かの判定は、例えば、復号部３１において得られる信号ビットの誤り率や、端末１０とＲＲＨ２０との間における再送の発生率などを用いて行われる。
【００２８】
復調部２３は、チャネル推定部２２により推定されたチャネル情報と、制御信号により定められる復調パラメータに基づいて、データ信号に対する軟判定復調を行う。復調部２３は、軟判定復調により得られるＬＬＲ値の系列をＬＬＲ量子化部２４へ出力する。
【００２９】
ＬＬＲ量子化部２４は、ＬＬＲ値の平均値とＬＬＲ値の分散値とに基づいて、ＬＬＲ値の統計分布を算出する。ＬＬＲ値の平均値は、前述のように、端末１０とＲＲＨ２０との間の通信において用いられる変調方式に応じて定まる値である。ＬＬＲ値の分散値は、チャネル推定部２２により算出される分散値である。ＬＬＲ量子化部２４は、ＬＬＲの統計分布に基づいて、ＬＬＲ値に対する量子化における量子化閾値と量子化レベルとを決定する。量子化閾値と量子化レベルとの決定には、公知の技術、例えば非特許文献３の技術が用いられる。ＬＬＲ量子化部２４は、決定した量子化閾値と量子化レベルとに基づいて、復調部２３から出力されるＬＬＲ値を量子化し、量子化により得られたデジタル信号をＢＢＵ３０へ送信する。
【００３０】
ＢＢＵ３０において、復号部３１は、量子化されたＬＬＲ値を示すデジタル信号をＬＬＲ量子化部２４から受信し、受信したデジタル信号に対して復号処理を行うことで信号ビットを得る。復号部３１は、得られた信号ビットを端末１０から送信された情報として上位機能部３２へ出力する。
【００３１】
第１の実施形態の無線通信システム１では、ＲＲＨ２０において、チャネル推定部２２が無線信号に含まれる雑音信号の電力からＬＬＲ値の分散値を算出する。ＬＬＲ量子化部２４が変調方式に応じて定まるＬＬＲ値の平均値とチャネル推定部２２により算出されたＬＬＲ値の分散値とからＬＬＲ値の統計分布を算出し、更に統計分布に基づいた量子化を行う。ＬＬＲ量子化部２４は、ＬＬＲ値の統計分布を得るためにＬＬＲ値のサンプルを集める必要がないため、ＬＬＲ値の分散値をチャネル推定部２２から取得でき次第ＬＬＲ値の量子化を開始することができる。無線通信システム１は、チャネル推定部２２とＬＬＲ量子化部２４とを備えることにより、ＬＬＲ量子化における処理遅延を削減できる。
【００３２】
［第２の実施形態］
第２の実施形態における無線通信システムでは、ＬＬＲ値の分散値の算出をＢＢＵにおいて行う。図３は、第２の実施形態における無線通信システム２の構成例を示すブロック図である。無線通信システム２は、端末１０と、基地局として機能するＲＲＨ４０及びＢＢＵ５０とを備える。無線装置としてのＲＲＨ４０は、ＲＦ受信部２１とチャネル推定部４２と復調部２３とＬＬＲ量子化部２４とを備える。信号処理装置としてのＢＢＵ５０は、復号部３１と上位機能部５２とを備える。
【００３３】
ＲＲＨ４０及びＢＢＵ５０は、第１の実施形態における無線通信システム１のＲＲＨ２０及びＢＢＵ３０と同様に、端末１０から送信される無線信号の受信処理を開始する前に所定の設定を行う。
【００３４】
ＲＲＨ４０における、チャネル推定部４２は、チャネル推定部２２と同様に、端末１０とＲＲＨ４０との間において既知の信号と、ＲＦ受信部２１から出力される参照信号とを比較し、無線伝送路において無線信号が受ける位相回転量と減衰量とを示すチャネル情報を推定する。チャネル推定部４２は、推定したチャネル情報と参照信号とを含む推定情報をＢＢＵ５０へ送信する。チャネル推定部４２は、推定したチャネル情報を復調部２３へ出力する。
【００３５】
ＢＢＵ５０における、上位機能部５２は、ＲＲＨ４０のチャネル推定部４２から受信する推定情報に基づいて、ＬＬＲ値の分散値を算出する。上位機能部５２は、第１の実施形態におけるチャネル推定部２２と同様に、参照信号に含まれる雑音信号を抽出し、抽出した雑音信号の電力からＬＬＲ値の分散値を算出する。上位機能部５２は、算出したＬＬＲ値の分散値を、ＲＲＨ４０のＬＬＲ量子化部２４へ送信する。
【００３６】
第２の実施形態におけるＬＬＲ量子化部２４は、チャネル推定部２２から出力されるＬＬＲ値の分散値に代えて、ＢＢＵ５０の上位機能部５２から受信するＬＬＲ値の分散値を用いて、ＬＬＲ値の統計分布を算出する。
【００３７】
第２の実施形態の無線通信システム２では、ＢＢＵ５０において、ＬＬＲ値の分散値を算出することにより、ＲＲＨ４０における演算負荷を軽減することができる。また、無線通信システム２においても、ＬＬＲ量子化部２４は、ＬＬＲ値の統計分布を得るためにＬＬＲ値のサンプルを集める必要がないため、ＬＬＲ値の分散値をＢＢＵ５０から取得でき次第ＬＬＲ値の量子化を開始することができる。無線通信システム２は、チャネル推定部４２、上位機能部５２及びＬＬＲ量子化部２４を備えることにより、ＬＬＲ量子化における処理遅延を削減できる。
【００３８】
［変形例１］
第１の実施形態における無線通信システム１において、端末１０とＲＲＨ２０との無線通信に用いる変調方式に、ＢＰＳＫ以外にも１６ＱＡＭや６４ＱＡＭのような多値変調の変調方式を用いることができる。図４は、多値の変調方式である１６ＱＡＭで変調された信号から得られるＬＬＲ値の統計分布の一例を示す図である。図４において、横軸はＬＬＲ値を示し、縦軸はＬＬＲ値の出現頻度を示す。図４に示すように、変調方式に１６ＱＡＭを用いた場合におけるＬＬＲ値の統計分布は、図１に示したＢＰＳＫに比べ信号点（シンボル）数が増加するため、ＬＬＲ値＝０の直線に対して対称な４つのガウス分布となる。多値の変調方式を用いる場合においても、２値の変調方式を用いる場合と同様に、それぞれのガウス分布の割合及び平均値は、変調方式に基づいて予め定まる。
【００３９】
チャネル推定部２２は、推定したチャネル情報と参照信号と既知の信号とに基づいて、参照信号に含まれる雑音信号を抽出し、雑音信号の電力からＬＬＲ値の分散値を算出する。ＬＬＲ量子化部２４は、チャネル推定部２２により算出されたＬＬＲ値の分散値と、変調方式に応じて予め定まるそれぞれのガウス分布の割合及び平均値とに基づいて、各信号点のガウス分布を算出し、算出したガウス分布を統計分布として使用してＬＬＲ値の量子化を行う。
【００４０】
第１の実施形態において、端末１０とＲＲＨ２０との間における無線通信に多値の変調方式を用いる場合においても、同様に、ＬＬＲ量子化部２４は、ＬＬＲ値の統計分布を得るためにＬＬＲ値のサンプルを集める必要がないため、ＬＬＲ値の分散値をチャネル推定部２２から取得でき次第ＬＬＲ値の量子化を開始することができ、ＬＬＲ量子化における処理遅延を削減できる。
【００４１】
［変形例２］
第２の実施形態における無線通信システム２においても、第１の実施形態と同様に、１６ＱＡＭや６４ＱＡＭのような多値の変調方式を用いることができる。無線通信システム２において多値の変調システムを適用する場合には、上位機能部５２は、チャネル推定部２２から受信する推定情報に含まれるチャネル情報及び参照信号と、既知の信号とに基づいて、参照信号に含まれる雑音信号を抽出し、雑音信号の電力からＬＬＲ値の分散値を算出する。ＬＬＲ量子化部２４は、上位機能部５２により算出されたＬＬＲ値の分散値と、予め定まるそれぞれのガウス分布の割合及び平均値とに基づいて、各信号点のガウス分布を算出し、算出したガウス分布を統計分布として使用してＬＬＲ値の量子化を行う。
【００４２】
第２の実施形態において、端末１０とＲＲＨ４０との間における無線通信に多値の変調方式を用いる場合においても、同様に、ＬＬＲ量子化部２４は、ＬＬＲ値の統計分布を得るためにＬＬＲ値のサンプルを集める必要がないため、ＬＬＲ値の分散値をＢＢＵ５０から取得でき次第ＬＬＲ値の量子化を開始することができ、ＬＬＲ量子化における処理遅延を削減できる。
【００４３】
［変形例３］
第１又は第２の実施形態では、１つのＢＢＵに対して１つのＲＲＨが通信可能に接続されている構成例を示したが、１つのＢＢＵに対して複数のＲＲＨが通信可能に接続されていてもよい。
【００４４】
上述の各実施形態における無線通信システムによれば、ＬＬＲ値のサンプルを集めることなくＬＬＲ値の統計分布を算出してＬＬＲ量子化を行うことができるため、ＬＬＲ量子化における処理遅延を削減することができる。
【００４５】
なお、上述の各実施形態では、端末との無線通信を行う基地局としての機能をＢＢＵとＲＲＨとに分けた構成を無線通信システムが備える場合について説明したが、ＢＢＵとＲＲＨとに備えられる各機能部が１つの装置に備えられていてもよいし、３つ以上の装置に分散して備えられていてもよい。
【００４６】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００４７】
ＬＬＲ量子化により生じる処理遅延を削減することが不可欠な用途にも適用できる。
【符号の説明】
【００４８】
１，２…無線通信システム
１０，９１…端末
２０，４０，９２…ＲＲＨ
２１，９２１…ＲＦ受信部
２２，４２，９２２…チャネル推定部
２３，９２３…復調部
２４，９２４…ＬＬＲ量子化部
３０，５０，９３…ＢＢＵ
３１，９３１…復号部
３２，５２，９３２…上位機能部
【図１】
2017175754.tif 000003
【図２】
2017175754.tif 000004
【図３】
2017175754.tif 000005
【図４】
2017175754.tif 000006
【図５】
2017175754.tif 000007
【図６】
2017175754.tif 000008
【国際調査報告】
2017175754.tif 000009
2017175754.tif 000010
2017175754.tif 000011